【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
複数の位置に移動可能で、当該複数の位置のいずれかで第１綴じ処理を実行する第１の綴じ手段と、
第２綴じ処理を実行可能な単一のコーナー位置で当該第２綴じ処理を実行する第２の綴じ手段と、
ユーザの指示に従って、前記第１綴じ処理或いは前記第２綴じ処理が実行される記録紙のコーナー位置を選択する選択手段と、
画像データに基づいて記録紙上に画像を印刷する印刷手段と、
前記第２の綴じ手段を使用せずに前記第１の綴じ手段を使用して前記第１綴じ処理を実行する場合、前記画像データの入力順序に従って記録紙上に画像を印刷させるように前記印刷手段を制御し、
前記第１の綴じ手段を使用せずに前記第２の綴じ手段を使用して前記第２綴じ処理を実行する場合、前記画像データで表される画像の向き、前記選択手段により選択されたコーナー位置、及び前記印刷手段による印刷で使用される記録紙の向きに基づいて、前記画像データの入力順序に従って記録紙上に画像を印刷させるか、或いは、前記画像データの入力順序とは逆の順序に従って記録紙上に画像を印刷させるように、前記印刷手段を制御する制御手段と、
を有することを特徴とする印刷装置。
【請求項２】
前記第１の綴じ手段は、針を使用して前記第１綴じ処理を実行し、前記第２の綴じ手段は、針を使用せずに前記第２綴じ処理を実行することを特徴とする請求項１に記載の印刷装置。
【請求項３】
前記第１の綴じ手段により実行される前記第１綴じ処理の位置が前記記録紙の左上で、前記画像データで表される画像の向きが前記記録紙の向きと異なる場合、前記制御手段は、前記画像データを時計回り方向に９０度回転した画像データに従って前記印刷手段により画像を印刷させるように制御することを特徴とする請求項１又は２に記載の印刷装置。
【請求項４】
前記第１の綴じ手段により実行される前記第１綴じ処理の位置が前記記録紙の右上で、前記画像データで表される画像の向きと前記記録紙の向きとが同じである場合、前記制御手段は、前記画像データを１８０度回転した画像データに従って前記印刷手段により画像を印刷させるように制御することを特徴とする請求項１又は２に記載の印刷装置。
【請求項５】
前記第１の綴じ手段により実行される前記第１綴じ処理の位置が前記記録紙の右上で、前記画像データで表される画像の向きと前記記録紙の向きとが異なる場合、前記制御手段は、前記画像データを時計回り方向に９０度回転した画像データに従って前記印刷手段により画像を印刷させるように制御することを特徴とする請求項１又は２に記載の印刷装置。
【請求項６】
前記第１の綴じ手段により実行される前記第１綴じ処理の位置が前記記録紙の左下で、前記画像データで表される画像の向きと前記記録紙の向きとが異なる場合、前記制御手段は、前記画像データを時計回り方向に２７０度回転した画像データに従って前記印刷手段により画像を印刷させるように制御することを特徴とする請求項１又は２に記載の印刷装置。
【請求項７】
前記第１の綴じ手段により実行される前記第１綴じ処理の位置が前記記録紙の右下で、前記画像データで表される画像の向きと前記記録紙の向きとが同じである場合、前記制御手段は、前記画像データを１８０度回転した画像データに従って前記印刷手段により画像を印刷させるように制御することを特徴とする請求項１又は２に記載の印刷装置。
【請求項８】
前記第１の綴じ手段により実行される前記第１綴じ処理の位置が前記記録紙の右下で、前記画像データで表される画像の向きと前記記録紙の向きとが異なる場合、前記制御手段は、前記画像データを時計回り方向に２７０度回転した画像データに従って前記印刷手段により画像を印刷させるように制御することを特徴とする請求項１又は２に記載の印刷装置。
【請求項９】
前記選択手段により選択されたコーナー位置が前記記録紙の左上で、前記画像データの向きと前記記録紙の向きとが同じである場合、前記制御手段は、前記画像データの入力順序に従って前記印刷手段により画像を印刷させるように制御することを特徴とする請求項１又は２に記載の印刷装置。
【請求項１０】
前記選択手段により選択されたコーナー位置が前記記録紙の左上で、前記画像データの向きと前記記録紙の向きとが異なる場合、前記制御手段は、前記画像データを時計回り方向に９０度回転した画像データで、かつ前記画像データの入力順序と逆の順序に従って前記印刷手段により画像を印刷させるように制御することを特徴とする請求項１又は２に記載の印刷装置。
【請求項１１】
前記選択手段により選択されたコーナー位置が前記記録紙の右上で、前記画像データの向きと前記記録紙の向きとが同じである場合、前記制御手段は、前記画像データの入力順序と逆の順序に従って前記印刷手段により画像を印刷させるように制御することを特徴とする請求項１又は２に記載の印刷装置。
【請求項１２】
前記選択手段により選択されたコーナー位置が前記記録紙の右上で、前記画像データの向きと前記記録紙の向きとが異なる場合、前記制御手段は、前記画像データを時計回り方向に９０度回転した画像データで、かつ前記画像データの入力順序に従って前記印刷手段により画像を印刷させるように制御することを特徴とする請求項１又は２に記載の印刷装置。
【請求項１３】
前記選択手段により選択されたコーナー位置が前記記録紙の左上で、前記画像データの向きと前記記録紙の向きとが同じである場合、前記制御手段は、前記画像データを１８０度回転した画像データで、かつ前記画像データの入力順序と逆の順序に従って前記印刷手段により画像を印刷させるように制御することを特徴とする請求項１又は２に記載の印刷装置。
【請求項１４】
前記選択手段により選択されたコーナー位置が前記記録紙の左下で、前記画像データの向きと前記記録紙の向きとが異なる場合、前記制御手段は、前記画像データを時計回り方向に２７０度回転した画像データで、かつ前記画像データの入力順序に従って前記印刷手段により画像を印刷させるように制御することを特徴とする請求項１又は２に記載の印刷装置。
【請求項１５】
前記選択手段により選択されたコーナー位置が前記記録紙の右下で、前記画像データの向きと前記記録紙の向きとが同じである場合、前記制御手段は、前記画像データを１８０度回転した画像データで、かつ前記画像データの入力順序に従って前記印刷手段により画像を印刷させるように制御することを特徴とする請求項１又は２に記載の印刷装置。
【請求項１６】
前記選択手段により選択されたコーナー位置が前記記録紙の右下で、前記画像データの向きと前記記録紙の向きとが異なる場合、前記制御手段は、前記画像データを時計回り方向に２７０度回転した画像データで、かつ前記画像データの入力順序と逆の順序に従って前記印刷手段により画像を印刷させるように制御することを特徴とする請求項１又は２に記載の印刷装置。
【請求項１７】
前記第２の綴じ手段は、前記複数枚の記録紙に上下から圧力をかけて密着させることにより前記複数枚の記録紙を綴じることを特徴とする請求項２に記載の印刷装置。
【請求項１８】
前記制御手段は、記録紙の印刷面が下向きになるように、前記画像データの入力順序に従って記録紙を排出するよう制御し、また記録紙の印刷面が上向きになるように、前記画像データの入力順序と逆の順序に従って記録紙を排出するよう制御することを特徴とする請求項１乃至１７のいずれか１項に記載の印刷装置。
【請求項１９】
複数の位置に移動可能で、当該複数の位置のいずれかで第１綴じ処理を実行する第１の綴じ手段と、第２綴じ処理を実行可能な単一のコーナー位置で当該第２綴じ処理を実行する第２の綴じ手段とを有し、前記第１の綴じ手段或いは前記第２の綴じ手段を用いて記録紙に綴じ処理を実行する後処理装置に接続可能な印刷装置であって、
ユーザの指示に従って、前記第１綴じ処理或いは前記第２綴じ処理が実行される記録紙のコーナー位置を選択する選択手段と、
画像データに基づいて記録紙上に画像を印刷する印刷手段と、
前記第２の綴じ手段を使用せずに前記第１の綴じ手段を使用して前記第１綴じ処理を実行する場合、前記画像データの入力順序に従って記録紙上に画像を印刷させるように前記印刷手段を制御し、
前記第１の綴じ手段を使用せずに前記第２の綴じ手段を使用して前記第２綴じ処理を実行する場合、前記画像データで表される画像の向き、前記選択手段により選択されたコーナー位置、及び前記印刷手段による印刷で使用される記録紙の向きに基づいて、前記画像データの入力順序に従って記録紙上に画像を印刷させるか、或いは、前記画像データの入力順序とは逆の順序に従って記録紙上に画像を印刷させるように前記印刷手段を制御する制御手段と、
を有することを特徴とする印刷装置。
【請求項２０】
印刷装置の制御方法であって、
第１の綴じ手段を複数の位置の一つに移動させ、当該複数の位置のいずれかで第１綴じ処理を実行させる工程と、
第２の綴じ手段が第２綴じ処理を実行可能な単一のコーナー位置で前記第２綴じ手段により前記第２綴じ処理を実行させる工程と、
ユーザの指示に従って、前記第１綴じ処理或いは前記第２綴じ処理が実行される記録紙のコーナー位置を選択する選択工程と、
画像データに基づいて記録紙上に画像を印刷する印刷工程と、
前記第２の綴じ手段を使用せずに前記第１の綴じ手段を使用して前記第１綴じ処理を実行する場合、前記画像データの入力順序に従って記録紙上に画像を印刷する工程と、
前記第１の綴じ手段を使用せずに前記第２の綴じ手段を使用して前記第２綴じ処理を実行する場合、前記画像データで表される画像の向き、前記選択工程で選択されたコーナー位置、及び前記印刷工程による印刷で使用される記録紙の向きに基づいて、前記画像データの入力順序に従って記録紙上に画像を印刷するか、或いは、前記画像データの入力順序とは逆の順序に従って記録紙上に画像を印刷するように制御する制御工程と、
を有することを特徴とする制御方法。
【請求項２１】
コンピュータに、請求項２０に記載の制御方法の各工程を実行させるためのプログラム。
【手続補正２】
【補正対象書類名】明細書
【補正対象項目名】０００８
【補正方法】変更
【補正の内容】
【０００８】
上記目的を達成するために本発明の一態様に係る印刷装置は以下のような構成を備える。即ち、
複数の位置に移動可能で、当該複数の位置のいずれかで第１綴じ処理を実行する第１の綴じ手段と、
第２綴じ処理を実行可能な単一のコーナー位置で当該第２綴じ処理を実行する第２の綴じ手段と、
ユーザの指示に従って、前記第１綴じ処理或いは前記第２綴じ処理が実行される記録紙のコーナー位置を選択する選択手段と、
画像データに基づいて記録紙上に画像を印刷する印刷手段と、
前記第２の綴じ手段を使用せずに前記第１の綴じ手段を使用して前記第１綴じ処理を実行する場合、前記画像データの入力順序に従って記録紙上に画像を印刷させるように前記印刷手段を制御し、
前記第１の綴じ手段を使用せずに前記第２の綴じ手段を使用して前記第２綴じ処理を実行する場合、前記画像データで表される画像の向き、前記選択手段により選択されたコーナー位置、及び前記印刷手段による印刷で使用される記録紙の向きに基づいて、前記画像データの入力順序に従って記録紙上に画像を印刷させるか、或いは、前記画像データの入力順序とは逆の順序に従って記録紙上に画像を印刷させるように、前記印刷手段を制御する制御手段と、を有することを特徴とする。